(57)【要約】【課題】大型化を抑制しつつ使い勝手性を向上可能な硬貨処理装置を提供する。【解決手段】入金部１２に投入され識別部２０で識別された硬貨を金種混合で繰り出し可能に一時貯留する一時貯留部と、一時貯留部から繰り出された硬貨を繰り出し可能に収納する金種別の繰出収納部３３〜３８と、一時貯留部から繰り出された硬貨のうち、繰出収納部３３〜３８でオーバーフローするオーバーフロー硬貨を金種混合で繰り出し可能に収納する一括収納部と、を有し、硬貨を繰り出し可能に収納する第１の収納部３９と、第１の収納部３９よりも収納容量が大で硬貨を繰り出し可能に収納する第２の収納部３２と、を備え、第１の収納部３９を一時貯留部とし第２の収納部３２を一括収納部とする第１の動作モードと、第２の収納部３２を一時貯留部とし第１の収納部３９を一括収納部とする第２の動作モードと、に切り替え可能である。【選択図】図１
2020080187.tif 000002
【特許請求の範囲】
【請求項１】
入金部に投入され識別部で識別された硬貨を金種混合で繰り出し可能に一時貯留する一時貯留部と、
該一時貯留部から繰り出された硬貨を繰り出し可能に収納する金種別の繰出収納部と、
前記一時貯留部から繰り出された硬貨のうち、前記繰出収納部でオーバーフローするオーバーフロー硬貨を金種混合で繰り出し可能に収納する一括収納部と、
を有する硬貨処理装置であって、
硬貨を繰り出し可能に収納する第１の収納部と、
該第１の収納部よりも収納容量が大で硬貨を繰り出し可能に収納する第２の収納部と、を備え、
前記第１の収納部を前記一時貯留部とし前記第２の収納部を前記一括収納部とする第１の動作モードと、
前記第２の収納部を前記一時貯留部とし前記第１の収納部を前記一括収納部とする第２の動作モードと、に切り替え可能であることを特徴とする硬貨処理装置。
【発明の詳細な説明】
【技術分野】
【０００１】
本発明は、硬貨を処理する硬貨処理装置に関する。
【背景技術】
【０００２】
従来から、入金された硬貨の識別や計数処理を行う硬貨処理装置が知られている。このような硬貨処理装置の中には、入金された硬貨を識別部によって識別し、受け入れ可能と判断されて、操作者による入金確定承認がされる前の硬貨を、中間プール部（一時貯留部）に一時的に貯留することで、入金確定前の硬貨と、機内の硬貨とを厳格に区別して管理できる装置がある。また、中間プール部の他に、さらに硬貨収納と出金繰り出しが可能な環流式収納庫と、硬貨回収を一括して行える着脱自在に設けられた一括回収庫とを備えている装置がある（例えば、特許文献１参照）。
【先行技術文献】
【特許文献】
【０００３】
【特許文献１】特許第５４６２６６５号公報
【発明の概要】
【発明が解決しようとする課題】
【０００４】
硬貨処理装置においては、大型化を抑制しつつも、使い勝手性を向上させることが求められている。
【０００５】
本発明は、大型化を抑制しつつ使い勝手性を向上可能な硬貨処理装置の提供を目的とする。
【課題を解決するための手段】
【０００６】
上記目的を達成するために、本発明に係る第１の態様は、入金部に投入され識別部で識別された硬貨を金種混合で繰り出し可能に一時貯留する一時貯留部と、該一時貯留部から繰り出された硬貨を繰り出し可能に収納する金種別の繰出収納部と、前記一時貯留部から繰り出された硬貨のうち、前記繰出収納部でオーバーフローするオーバーフロー硬貨を金種混合で繰り出し可能に収納する一括収納部と、を有する硬貨処理装置であって、硬貨を繰り出し可能に収納する第１の収納部と、該第１の収納部よりも収納容量が大で硬貨を繰り出し可能に収納する第２の収納部と、を備え、前記第１の収納部を前記一時貯留部とし前記第２の収納部を前記一括収納部とする第１の動作モードと、前記第２の収納部を前記一時貯留部とし前記第１の収納部を前記一括収納部とする第２の動作モードと、に切り替え可能であることを特徴とする。
【０００７】
上記第１の態様によれば、第１の動作モードでは、第１の収納部を一時貯留部とし第１の収納部よりも収納容量が大の第２の収納部を一括収納部とするため、入金処理時に少量の硬貨が投入される場合に好適となる。その場合に、繰出収納部でオーバーフローするオーバーフロー硬貨を収納容量が大の第２の収納部に収納可能となるため、オーバーフロー硬貨の硬貨量が多くなることによる装置停止の頻度を減らすことができる。他方、第２の動作モードでは、第１の収納部を一括収納部とし第１の収納部よりも収納容量が大の第２の収納部を一時貯留部とするため、入金処理時に大量の硬貨が投入される場合に、一度に多くの硬貨を処理可能となり好適となる。よって、一時貯留部および一括収納部の両方の容量を増大させなくても、使い勝手性が向上し作業の効率化に繋がる。
【発明の効果】
【０００８】
大型化を抑制しつつ使い勝手性を向上可能な硬貨処理装置を提供することができる。
【図面の簡単な説明】
【０００９】
【図１】本発明に係る一実施形態の硬貨処理装置を示す平面図である。
【図２】本発明に係る一実施形態の硬貨処理装置を示すブロック図である。
【図３】本発明に係る一実施形態の硬貨処理装置の第１の入金処理の硬貨の流れを太線で示す平面図である。
【図４】本発明に係る一実施形態の硬貨処理装置の第１の返却処理の硬貨の流れを太線で示す平面図である。
【図５】本発明に係る一実施形態の硬貨処理装置の第１の収納処理の硬貨の流れを太線で示す平面図である。
【図６】本発明に係る一実施形態の硬貨処理装置の第１のカセット補充処理の硬貨の流れを太線で示す平面図である。
【図７】本発明に係る一実施形態の硬貨処理装置の第１のダイレクト補充処理の硬貨の流れを太線で示す平面図である。
【図８】本発明に係る一実施形態の硬貨処理装置の第１の出金処理の硬貨の流れを太線で示す平面図である。
【図９】本発明に係る一実施形態の硬貨処理装置の第１の自己精査処理の硬貨の流れを太線で示す平面図である。
【図１０】本発明に係る一実施形態の硬貨処理装置の第１のカセット収集処理の硬貨の流れを太線で示す平面図である。
【図１１】本発明に係る一実施形態の硬貨処理装置の第１のカルトン収集処理の硬貨の流れを太線で示す平面図である。
【図１２】本発明に係る一実施形態の硬貨処理装置の第１の整理計数処理の硬貨の流れを太線で示す平面図である。
【図１３】本発明に係る一実施形態の硬貨処理装置の第１の分配回収処理の硬貨の流れを太線で示す平面図である。
【図１４】本発明に係る一実施形態の硬貨処理装置の第１の分配処理の硬貨の流れを太線で示す平面図である。
【図１５】本発明に係る一実施形態の硬貨処理装置の第２の入金処理の硬貨の流れを太線で示す平面図である。
【図１６】本発明に係る一実施形態の硬貨処理装置の第２の返却処理の硬貨の流れを太線で示す平面図である。
【図１７】本発明に係る一実施形態の硬貨処理装置の第２の収納処理の硬貨の流れを太線で示す平面図である。
【図１８】本発明に係る一実施形態の硬貨処理装置の第２のダイレクト補充処理の硬貨の流れを太線で示す平面図である。
【図１９】本発明に係る一実施形態の硬貨処理装置の第２の出金処理の硬貨の流れを太線で示す平面図である。
【図２０】本発明に係る一実施形態の硬貨処理装置の第２の自己精査処理の硬貨の流れを太線で示す平面図である。
【図２１】本発明に係る一実施形態の硬貨処理装置の第２のカルトン収集処理の硬貨の流れを太線で示す平面図である。
【図２２】本発明に係る一実施形態の硬貨処理装置の第２の整理計数処理の硬貨の流れを太線で示す平面図である。
【図２３】本発明に係る一実施形態の硬貨処理装置の第２の分配回収処理の硬貨の流れを太線で示す平面図である。
【図２４】本発明に係る一実施形態の硬貨処理装置の第２の分配処理の硬貨の流れを太線で示す平面図である。
【発明を実施するための形態】
【００１０】
本発明に係る一実施形態の硬貨処理装置を図面を参照して以下に説明する。
【００１１】
図１に示すように、本実施形態の硬貨処理装置１０は、装置本体１１の前部に入金部１２およびカルトン載置部１３を有している。入金部１２は、硬貨が外部から金種混合状態で一括して投入されるとともに投入された硬貨を一枚ずつ分離して繰り出す。図示は略すが、入金部１２には、入金部１２を外部に対し開閉するシャッタが設けられている。入金部１２は、シャッタが開かれた状態で硬貨が外部から投入可能となり、シャッタが閉じられた状態では硬貨が外部から投入不可となるとともに内部の硬貨の外部への取り出しも不可となる。カルトン載置部１３には、装置本体１１とは別体のカルトン１４が抜き差し可能に載置される。
【００１２】
硬貨処理装置１０は、装置本体１１の側部に入金側搬送部１５を有している。入金側搬送部１５は、前後方向に延在しており、入金部１２から繰り出された硬貨を後方に向けて搬送する。
【００１３】
硬貨処理装置１０は、入金側搬送部１５の位置に、前から順に、識別部２０、放出案内部２１、カセット案内部２２、１円硬貨用の還流案内部２３、１００円硬貨用の還流案内部２４、１０円硬貨用の還流案内部２５、５０円硬貨用の還流案内部２６、５円硬貨用の還流案内部２７、５００円硬貨用の還流案内部２８およびスタッカ案内部２９を有している。識別部２０は、入金側搬送部１５で搬送中の硬貨の真偽および金種を識別しつつ計数する。放出案内部２１、カセット案内部２２、還流案内部２３〜２８およびスタッカ案内部２９は、入金側搬送部１５で搬送中の硬貨を、識別部２０の識別結果に基づいて入金側搬送部１５から分流させるように案内する。
【００１４】
硬貨処理装置１０は、入金部１２の後側に、前から順に、プールカセット３２（第２の収納部）と、１円硬貨用の還流部３３（繰出収納部）と、１００円硬貨用の還流部３４（繰出収納部）と、１０円硬貨用の還流部３５（繰出収納部）と、５０円硬貨用の還流部３６（繰出収納部）と、５円硬貨用の還流部３７（繰出収納部）と、５００円硬貨用の還流部３８（繰出収納部）と、プールスタッカ３９（第１の収納部）と、を有している。
【００１５】
放出案内部２１は、入金側搬送部１５から、カルトン載置部１３に載置されたカルトン１４に硬貨を案内する。放出案内部２１は、例えば、識別部２０の識別結果から真硬貨と判定できなかった受け入れ不可なリジェクト硬貨を入金側搬送部１５からカルトン１４に案内する。
【００１６】
カセット案内部２２は、例えば、識別部２０で真硬貨と判定された受け入れ可能な硬貨を入金側搬送部１５からプールカセット３２に案内する。プールカセット３２は、装置本体１１に対し着脱可能であり、硬貨を金種混合で繰り出し可能に収納する。プールカセット３２は、収納している硬貨を一枚ずつ分離して計数しつつ繰り出す繰出部４２を有している。
【００１７】
１円硬貨用の還流案内部２３は、識別部２０で真硬貨と判定された受け入れ可能な硬貨のうち１円硬貨のみを入金側搬送部１５から１円硬貨用の還流部３３に案内する。１円硬貨用の還流部３３は、装置本体１１に対し着脱不可であり、１円硬貨のみを収納する。１円硬貨用の還流部３３は、収納している硬貨を一枚ずつ分離して計数しつつ繰り出す繰出部４３を有している。
【００１８】
１００円硬貨用の還流案内部２４は、識別部２０で真硬貨と判定された受け入れ可能な硬貨のうち１００円硬貨のみを入金側搬送部１５から１００円硬貨用の還流部３４に案内する。１００円硬貨用の還流部３４は、装置本体１１に対し着脱不可であり、１００円硬貨のみを収納する。１００円硬貨用の還流部３４は、収納している硬貨を一枚ずつ分離して計数しつつ繰り出す繰出部４４を有している。
【００１９】
１０円硬貨用の還流案内部２５は、識別部２０で真硬貨と判定された受け入れ可能な硬貨のうち１０円硬貨のみを入金側搬送部１５から１０円硬貨用の還流部３５に案内する。１０円硬貨用の還流部３５は、装置本体１１に対し着脱不可であり、１０円硬貨のみを収納する。１０円硬貨用の還流部３５は、収納している硬貨を一枚ずつ分離して計数しつつ繰り出す繰出部４５を有している。
【００２０】
５０円硬貨用の還流案内部２６は、識別部２０で真硬貨と判定された受け入れ可能な硬貨のうち５０円硬貨のみを入金側搬送部１５から５０円硬貨用の還流部３６に案内する。５０円硬貨用の還流部３６は、装置本体１１に対し着脱不可であり、５０円硬貨のみを収納する。５０円硬貨用の還流部３６は、収納している硬貨を一枚ずつ分離して計数しつつ繰り出す繰出部４６を有している。
【００２１】
５円硬貨用の還流案内部２７は、識別部２０で真硬貨と判定された受け入れ可能な硬貨のうち５円硬貨のみを入金側搬送部１５から５円硬貨用の還流部３７に案内する。５円硬貨用の還流部３７は、装置本体１１に対し着脱不可であり、５円硬貨のみを収納する。５円硬貨用の還流部３７は、収納している硬貨を一枚ずつ分離して計数しつつ繰り出す繰出部４７を有している。
【００２２】
５００円硬貨用の還流案内部２８は、識別部２０で真硬貨と判定された受け入れ可能な硬貨のうち５００円硬貨のみを入金側搬送部１５から５００円硬貨用の還流部３８に案内する。５００円硬貨用の還流部３８は、装置本体１１に対し着脱不可であり、５００円硬貨のみを収納する。５００円硬貨用の還流部３８は、収納している硬貨を一枚ずつ分離して計数しつつ繰り出す繰出部４８を有している。
【００２３】
スタッカ案内部２９は、識別部２０で真硬貨と判定された受け入れ可能な硬貨を入金側搬送部１５からプールスタッカ３９に案内する。プールスタッカ３９は、装置本体１１に対し着脱不可であり、硬貨を金種混合で繰り出し可能に収納する。プールスタッカ３９は、収納している硬貨を一枚ずつ分離して計数しつつ繰り出す繰出部４９を有している。
【００２４】
いずれも硬貨を繰り出し可能に収納するプールカセット３２、１円硬貨用の還流部３３、１００円硬貨用の還流部３４、１０円硬貨用の還流部３５、５０円硬貨用の還流部３６、５円硬貨用の還流部３７、５００円硬貨用の還流部３８およびプールスタッカ３９のうち、プールカセット３２のみが装置本体１１に対し着脱可能となっている。そして、プールカセット３２は、硬貨の収納容量、言い換えれば満杯状態での硬貨量が、１円硬貨用の還流部３３、１００円硬貨用の還流部３４、１０円硬貨用の還流部３５、５０円硬貨用の還流部、５円硬貨用の還流部３７およびプールスタッカ３９のそれぞれの硬貨の収納容量よりも大きくなっており、これらそれぞれの４倍程度となっている。具体的に、プールカセット３２の収納容量は６００枚であり、１円硬貨用の還流部３３、１００円硬貨用の還流部３４、１０円硬貨用の還流部３５、５０円硬貨用の還流部３６、５円硬貨用の還流部３７およびプールスタッカ３９のそれぞれの収納容量は１５０枚となっている。５００円硬貨用の還流部３８は、還流部３３〜３７およびプールスタッカ３９のそれぞれと内部の容積は同等であるものの、収納対象が大径の５００円硬貨であることから、収納容量は還流部３３〜３７およびプールスタッカ３９のそれぞれよりも少なく、１１０枚となっている。入金部１２およびカルトン１４のそれぞれの収納容量も１５０枚となっている。
【００２５】
硬貨処理装置１０は、装置本体１１の入金側搬送部１５とは反対側の側部に出金側搬送部５５を有している。出金側搬送部５５は、前後方向に延在しており、繰出部４２〜４９から繰り出された硬貨を入金部１２に搬送する。
【００２６】
硬貨処理装置１０は、図２に示すように、入金部１２、入金側搬送部１５、識別部２０、放出案内部２１、カセット案内部２２、還流案内部２３〜２８、スタッカ案内部２９、繰出部４２〜４９および出金側搬送部５５を制御する制御部６１と、操作入力を受け付ける操作部６２と、画面表示を行う表示部６３とを有している。
【００２７】
制御部６１は、操作部６２への操作入力に基づいて、硬貨処理装置１０を第１の動作モードと、第２の動作モードとに切り替えて動作させることが可能となっている。
【００２８】
［第１の動作モード］
第１の動作モードでは、制御部６１は、プールスタッカ３９を、入金処理時に入金部１２に投入され識別部２０で識別された硬貨を金種混合で繰り出し可能に一時貯留する一時貯留部とし、プールスタッカ３９よりも収納容量が大のプールカセット３２を、収納処理時にプールスタッカ３９から繰り出された硬貨のうち、各還流部３３〜３８でオーバーフローするオーバーフロー硬貨を金種混合で繰り出し可能に収納する一括収納部とする。つまり、第１の動作モードでは、プールカセット３２が、還流部３３でオーバーフローする１円のオーバーフロー硬貨、還流部３４でオーバーフローする１００円のオーバーフロー硬貨、還流部３５でオーバーフローする１０円のオーバーフロー硬貨、還流部３６でオーバーフローする５０円のオーバーフロー硬貨、還流部３７でオーバーフローする５円のオーバーフロー硬貨および還流部３８でオーバーフローする５００円のオーバーフロー硬貨を、金種混合で繰り出し可能に収納する。収納処理時に、収納しようとしている硬貨の枚数が、その収納先の還流部の収納容量から現在の硬貨量を減算した収納許容量を超えていると、収納許容量を超えた分の硬貨がオーバーフロー硬貨となる。
【００２９】
以下、いずれも第１の動作モードで実行される、第１の入金処理、第１の返却処理、第１の収納処理、第１のカセット補充処理、第１のダイレクト補充処理、第１の入金部補充処理、第１の出金処理、第１の自己精査処理、第１のカセット収集処理、第１のカルトン収集処理、第１の整理計数処理、第１の分配回収処理および第１の分配処理について説明する。
【００３０】
「第１の入金処理」
第１の動作モードでは、プールスタッカ３９が、入金処理時に入金部１２に投入され識別部２０で識別された硬貨を金種混合で繰り出し可能に一時貯留する一時貯留部として使用されるため、第１の入金処理開始時点で、プールスタッカ３９は空の状態にあり、第１の入金処理で一度に処理する入金枚数は、プールスタッカ３９の収納容量である１５０枚以下に限定されている。
【００３１】
制御部６１は、第１の入金処理を開始すると、まず、入金部１２の図示略のシャッタを開き、この入金部１２に硬貨が投入されたことを図示略のセンサで検出すると、入金部１２のシャッタを閉じ、入金部１２から硬貨を繰り出させる。そして、入金部１２から繰り出された硬貨を入金側搬送部１５で搬送し識別部２０で識別および計数する。そして、識別部２０で受け入れ可能と識別された真硬貨を、図３に太実線で示すように入金側搬送部１５およびスタッカ案内部２９でプールスタッカ３９へ搬送しプールスタッカ３９に一時貯留する。その一方で、識別部２０で受け入れ不可と識別されたリジェクト硬貨を、図３に太破線で示すように、放出案内部２１でカルトン１４に搬送する。このとき、汚損硬貨および旧５００円硬貨も真硬貨としてプールスタッカ３９へ搬送する。また、識別部２０で受け入れ可能と識別された真硬貨のうち、プールスタッカ３９の収納容量（１５０枚）を超える硬貨は、放出案内部２１でカルトン１４に搬送する。入金部１２および入金側搬送部１５に硬貨がなくなると、識別部２０で受け入れ可能と識別された真硬貨の合計金額および金種別の枚数等を表示部６３に表示させて、操作部６２への確定指示操作、返却指示操作を待機する状態となって、第１の入金処理を終了する。このように、第１の収納処理では、プールスタッカ３９が、入金部１２に投入され識別部２０で識別された硬貨を金種混合で繰り出し可能に一時貯留する一時貯留部となる。
【００３２】
「第１の返却処理」
第１の入金処理の終了後、操作部６２へ返却指示操作が入力されると、制御部６１は、第１の返却処理を開始する。つまり、図４に太実線で示すように、プールスタッカ３９の硬貨を、繰出部４９で繰り出し、シャッタが閉じられた状態の入金部１２に出金側搬送部５５で搬送し、入金部１２から繰り出して入金側搬送部１５で搬送し、放出案内部２１でカルトン１４に搬送する。そして、プールスタッカ３９、出金側搬送部５５、入金部１２および入金側搬送部１５に硬貨がなくなると、第１の返却処理を終了する。このようにプールスタッカ３９内の硬貨をカルトン１４に全て搬送して、操作者に取り出させる。
【００３３】
「第１の収納処理」
第１の入金処理の終了後、操作部６２へ確定指示操作が入力されると、制御部６１は、第１の収納処理を開始する。つまり、図５に太実線で示すように、プールスタッカ３９の硬貨を、繰出部４９で繰り出し、シャッタが閉じられた状態の入金部１２に出金側搬送部５５で搬送し、入金部１２から繰り出して入金側搬送部１５で搬送して識別部２０で識別する。そして、この識別部２０の識別結果に基づいて、各金種の硬貨を還流案内部２３〜２８の対応する金種のもので、還流部３３〜３８の対応する金種のものに収納する。すなわち、１円硬貨を１円硬貨用の還流案内部２３で１円硬貨用の還流部３３に、１００円硬貨を１００円硬貨用の還流案内部２４で１００円硬貨用の還流部３４に、１０円硬貨を１０円硬貨用の還流案内部２５で１０円硬貨用の還流部３５に、５０円硬貨を５０円硬貨用の還流案内部２６で５０円硬貨用の還流部３６に、５円硬貨を５円硬貨用の還流案内部２７で５円硬貨用の還流部３７に、５００円硬貨を５００円硬貨用の還流案内部２８で５００円硬貨用の還流部３８に、それぞれ収納する。言い換えれば、金種別の還流部３３〜３８は、一時貯留部としてのプールスタッカ３９から繰り出された硬貨を繰り出し可能に収納する金種別の繰出収納部となる。なお、識別部２０の識別結果に基づいて、各還流部３３〜３８のオーバーフロー硬貨、汚損硬貨および旧５００円硬貨は、図５に太破線で示すように、カセット案内部２２でプールカセット３２に収納する。そして、プールスタッカ３９、出金側搬送部５５、入金部１２および入金側搬送部１５に硬貨がなくなると、第１の収納処理を終了する。このように、第１の収納処理では、プールカセット３２が各還流部３３〜３８でオーバーフローするオーバーフロー硬貨を金種混合で繰り出し可能に収納する一括収納部となる。
【００３４】
なお、第１の収納処理の緊急時対応として、プールカセット３２をもオーバーフローするオーバーフロー硬貨が生じた場合、このようなオーバーフロー硬貨については、放出案内部２１でカルトン１４に搬送することも可能である。この場合、カルトン１４の収納容量毎に区切って硬貨の搬送を行うことになる。具体的には、カルトン１４の収納容量が１５０枚であるため、カルトン１４へオーバーフロー硬貨を１５０枚搬送すると、搬送を一旦停止させ、図示略のセンサでカルトン載置部１３に対するカルトン１４の抜き取りを検知後、カルトン１４の再セットを検知すると、次の１５０枚までのオーバーフロー硬貨をカルトン１４へ搬送するという処理を必要回数繰り返す。
【００３５】
あるいは、プールカセット３２をもオーバーフローするオーバーフロー硬貨が生じる前に、プールカセット３２の収納量が所定の回収基準枚数に達した時点で、一旦処理を停止して、操作者に対してプールカセット３２の交換を促す報知を行い、プールカセット３２の交換を検知後に処理を再開するようにしても良い。
【００３６】
「第１のカセット補充処理」
第１のカセット補充処理は、硬貨処理装置１０の外部で予めプールカセット３２に収納された硬貨を、金種別の還流部３３〜３８に補充する処理である。第１のカセット補充処理は、硬貨が全く収納されていない硬貨処理装置１０に、業務開始前に、金種毎に予め定められた枚数の硬貨を一括して装填するために実施される処理である。よって、第１のカセット補充処理は、硬貨処理装置１０のプールカセット３２以外に硬貨がある場合に動作不可となる。硬貨の有無判断は、直前までの履歴データ（前日の全回収の有無による）に基づく。なお、第１のカセット補充処理は、プールカセット３２を用いた補充（装填）のため、操作者が現金に直接触れることがなく、特別な権限を要しない操作者が行うことができる処理となっている。
【００３７】
硬貨が空の状態の硬貨処理装置１０に対する運用前の第１のカセット補充処理に際し、例えば各金種５０枚ずつの硬貨（全体で６金種３００枚となる）が装填されたプールカセット３２を装置本体１１に装着する。そして、第１のカセット補充処理を行うことで、還流部３３〜３８のそれぞれに５０枚ずつの硬貨が収納されることになって入出金取引を開始することが可能となる。勿論、プールカセット３２への装填枚数は各金種５０枚ずつに限らない。
【００３８】
第１のカセット補充処理を開始すると、制御部６１は、図６に太実線で示すように、プールカセット３２の硬貨を、繰出部４２で繰り出し、シャッタが閉じられた状態の入金部１２に出金側搬送部５５で搬送し、入金部１２から繰り出して入金側搬送部１５で搬送し、識別部２０の識別結果に基づいて、各金種の硬貨を還流案内部２３〜２８の対応する金種のもので、還流部３３〜３８の対応する金種のものに収納する。言い換えれば、金種別の還流部３３〜３８は、一括収納庫としてのプールカセット３２から繰り出された硬貨を金種別に繰り出し可能に収納する。なお、識別部２０の識別および計数結果に基づいて、各還流部３３〜３８でオーバーフローするオーバーフロー硬貨は、図６に太破線で示すように、スタッカ案内部２９でプールスタッカ３９に収納する。そして、プールカセット３２、出金側搬送部５５、入金部１２および入金側搬送部１５に硬貨がなくなると、第１のカセット補充処理を終了する。
【００３９】
第１のカセット補充処理後にプールスタッカ３９に硬貨があると、制御部６１は、プールスタッカ３９内の硬貨をすべて、繰出部４９で繰り出し、シャッタが閉じられた状態の入金部１２に出金側搬送部５５で搬送し、入金部１２から繰り出して入金側搬送部１５で搬送し、カセット案内部２２でプールカセット３２へ収納する。
【００４０】
なお、設定によるが、第１のカセット補充処理は操作者に現金を触らせないことも目的としているので、識別部２０の識別結果に基づいて、真硬貨と識別されなかったリジェクト硬貨と、真硬貨と識別された汚損硬貨および旧５００円硬貨とは、オーバーフロー硬貨と同様、一旦プールスタッカ３９へ搬送し、プールカセット３２からの第１のカセット補充処理の終了後に、プールスタッカ３９の硬貨をプールカセット３２へ搬送する。その際に、制御部６１は、リジェクト硬貨については枚数を把握し、汚損硬貨および旧５００円硬貨については金種別の枚数を把握する。但し、識別部２０の識別結果からリジェクト硬貨と判定された硬貨については、放出案内部２１でカルトン１４に搬送しても良い。また、汚損硬貨および旧５００円硬貨についても、同様にカルトン１４に搬送しても良い。
【００４１】
「第１のダイレクト補充処理」
第１のダイレクト補充処理は、入金部１２に硬貨を投入して還流部３３〜３８に硬貨を補充する。これにより、カセットの着脱作業等が不要となる。なお、第１のダイレクト補充処理は、主に銀行業務開始前に活用する処理である。第１のダイレクト補充処理は、現金を操作者が直接取り扱うため、所定の権限を有するものを認識した場合のみ実行可能となる設定にできる。第１のダイレクト補充処理は、そもそも現金を操作者が直接取り扱えるため、リジェクト硬貨、汚損硬貨および旧５００円硬貨をカルトン１４に回収するようにでき、業務開始前に、これらの硬貨を硬貨処理装置１０内に保管しなくて済む。すなわち、当初装填した硬貨をすべて、その後の出金業務に使用することができる。
【００４２】
制御部６１は、第１のダイレクト補充処理を開始すると、まず、入金部１２の図示略のシャッタを開き、この入金部１２に硬貨が投入されたことを図示略のセンサで検出すると、入金部１２から硬貨を繰り出させる。そして、図７に太実線で示すように、入金部１２から繰り出した硬貨を入金側搬送部１５で搬送し、識別部２０の識別結果に基づいて、各金種の硬貨を還流案内部２３〜２８の対応する金種のもので、還流部３３〜３８の対応する金種のものに収納する。なお、識別部２０の識別および計数結果に基づいて、各還流部３３〜３８でオーバーフローするオーバーフロー硬貨は、図７に太破線で示すように、カセット案内部２２でプールカセット３２に収納する。そして、入金部１２および入金側搬送部１５に硬貨がなくなると、第１のダイレクト補充処理を終了する。なお、識別部２０の識別結果に基づいて、受け入れ不可と識別されたリジェクト硬貨、汚損硬貨および旧５００円硬貨は、放出案内部２１でカルトン１４に搬送する。なお、汚損硬貨および旧５００円硬貨は、オーバーフロー硬貨と同様、カセット案内部２２でプールカセット３２に収納しても良い。
【００４３】
「第１の入金部補充処理」
第１の入金部補充処理は、硬貨処理装置１０に、業務時間内に一部金種の硬貨がニアエンド状態を含む不足状態になったとき（ニアエンド枚数以下になったとき、または、追加補充推奨枚数以下になったとき）など、当該不足状態となった金種の硬貨を補充装填するために、実施される処理である。第１の入金部補充処理には、二つの方式がある。一つは、入金部１２に投入された硬貨をすべて還流部３３〜３８の対応する金種のものに補充する方式である。この方式は、操作性は良いが、本来補充すべき金種硬貨が補充されない可能性が残る。もう一つは、補充する金種別の枚数を操作部６２に入力の上で、入金部１２に投入された硬貨を、入力値との一致を確認しながら補充する。操作性は多少煩雑であり、入力値と補充値とが一致する必要性はあるが、本来補充すべき金種硬貨でない場合は、データ入力時点で警告させることができる。警告時には、補充すべき金種硬貨を再確認、準備の上、データ入力をやり直す。この場合、所定の権限を有するものを認識した場合のみ実行可能となる設定にできる。
【００４４】
第１の入金部補充処理は、図３に示す第１の入金処理と、図４に示す第１の返却処理または図５に示す第１の収納処理とを行う。第１の入金処理と第１の収納処理とを行うと、入金部１２の硬貨を還流部３３〜３８の対応する金種のものに収納する。または、図７に示すように、第１のダイレクト補充処理と同様の処理を行って、入金部１２の硬貨を還流部３３〜３８の対応する金種のものに収納する。
【００４５】
「第１の出金処理」
第１の出金処理は、出金データに基づいて、図８に太実線で示すように、金種別に設けられた還流部３３〜３８の対応する金種のものから、繰出部４３〜４８の対応する金種のものによって、硬貨を、計数しつつ出金側搬送部５５に繰り出し、シャッタが閉じられた状態の入金部１２に出金側搬送部５５で搬送し、入金部１２から繰り出して入金側搬送部１５で搬送し、識別部２０で識別および計数しつつ放出案内部２１でカルトン１４へ放出する。還流部３３〜３８の対応する金種のものから出金データのすべての硬貨が繰り出された後、出金側搬送部５５、入金部１２および入金側搬送部１５に硬貨がなくなると、第１の出金処理を終了する。ここで、識別部２０の識別および計数結果から、リジェクト硬貨が検出されると、この硬貨は、図８に太破線で示すように、入金側搬送部１５およびスタッカ案内部２９でプールスタッカ３９へ搬送する。識別部２０において識別されてカルトン１４に振り分けられた硬貨が、金種別の出金予定枚数に達していない硬貨があれば、リジェクト硬貨が当該硬貨であるとして、当該金種の硬貨を還流部３３〜３８の対応する金種のものからさらに追加で繰り出して、金種別の出金予定枚数に達するように制御する。出金完了時、ブザー等の報知を確認して、操作者は、カルトン１４の硬貨を顧客に出金する。なお、第１の出金処理では、識別部２０で汚損硬貨と判定された硬貨であってもカルトン１４へ搬送してそのまま出金する。
【００４６】
第１の出金処理の完了、報知と並行して、プールスタッカ３９に硬貨がある場合には、操作者の顧客への出金作業中の待機時間を利用して、プールスタッカ３９より硬貨を繰出部４９で繰り出して、出金側搬送部５５、シャッタが閉状態の入金部１２および入金側搬送部１５で搬送し、再度、識別部２０で識別させる。その結果、真硬貨と識別され金種が識別された硬貨は、還流部３３〜３８の対応する金種のものに収納する。ここでも、またリジェクト硬貨と判定された場合は、同様の処理を繰り返すことになる。但し、リジェクト硬貨の累積枚数には上限枚数（例えば、１０枚）が設定されており、上限枚数を超えた場合は、処理を中断しエラー状態となって報知を行う。これにより、操作者に確認を行わせることになる。または、この場合のリジェクト硬貨は、一度は識別されて還流部３３〜３８の対応する金種のもの収納された硬貨であるため、その金種は予想可能であり、予想された金種の硬貨として、プールカセット３２に収納させても良い。
【００４７】
「第１の自己精査処理」
第１の自己精査処理は、図９に太実線で示すように、還流部３３〜３８のうちの精査対象のものから一旦すべての硬貨を繰り出して入金部１２に貯留し、その後、入金部１２から識別部２０で識別および計数しつつ、識別結果に基づいて、還流案内部２３〜２８の対応する金種のもので還流部３３〜３８の対応金種のものに収納させる。第１の自己精査処理では、還流部３３〜３８を所定の順番で精査する。ここでは、小径硬貨の還流部から順に、すなわち、１円硬貨用の還流部３３、５０円硬貨用の還流部３６、５円硬貨用の還流部３７、１００円硬貨用の還流部３４、１０円硬貨用の還流部３５、５００円硬貨用の還流部３８の順番で精査する。なお、この順は、必須ではなく、金額の小さい順（または大きい順）でも構わない。還流部３３〜３８の配置の位置で、前方から、あるいは後方から順に行う等でも良い。
【００４８】
第１の自己精査処理を開始すると、制御部６１は、１円硬貨用の還流部３３の硬貨を繰出部４３で計数しつつ全て繰り出して還流部３３を空にする。これと並行して、還流部３３から繰り出された硬貨を全て、シャッタが閉じられた状態の入金部１２に出金側搬送部５５で搬送する。次に、制御部６１は、入金部１２から硬貨を繰り出し入金側搬送部１５で搬送して識別部２０で識別および計数する。識別部２０の識別結果から、１円硬貨は還流案内部２３で還流部３３に収納する。識別部２０にて、異なる金種の硬貨であると識別された硬貨は、還流案内部２４〜２８の対応するもので、還流部３４〜３８の対応する金種のものに収納する。入金部１２の収納容量は、還流部３３の収納容量と等しいので、還流部３３の硬貨をすべて入金部１２で受け、還流部３３が空になってから、入金部１２の硬貨を還流部３３に向けて送り出すことができる。なお、識別部２０でリジェクト硬貨と判定された硬貨は、図９に太破線で示すように、スタッカ案内部２９で、空であるプールスタッカ３９へ搬送した後、プールスタッカ３９から繰出部４９で再び繰り出して、出金側搬送部５５、シャッタが閉状態の入金部１２および入金側搬送部１５で搬送して識別部２０で再度識別させる。ここでも、またリジェクト硬貨と判定された場合は、同様の処理を繰り返すことになる。但し、リジェクト硬貨の累積枚数には上限枚数（例えば、１０枚）が設定されており、上限枚数を超えた場合は、処理を中断しエラー状態となって報知を行う。リジェクト硬貨の処理は、全金種終了後にまとめて行っても良い。また、識別部２０で、汚損硬貨または旧５００円硬貨と識別された硬貨は、カセット案内部２２でプールカセット３２に収納する。
【００４９】
入金部１２より繰り出された全ての硬貨が還流部３３に搬送された場合（即ち、エラーなしの場合）、制御部６１は、次の５０円硬貨用の還流部３６について同様に精査処理を行い、同様にして、５円硬貨用の還流部３７、１００円硬貨用の還流部３４、１０円硬貨用の還流部３５、５００円硬貨用の還流部３８の順に精査処理を行う。
【００５０】
５００円硬貨用の還流部３８までの精査処理が終わると、制御部６１はプールカセット３２内の硬貨（オーバーフロー硬貨、汚損硬貨、旧５００円硬貨）を繰出部４２によって計数しつつ全て繰り出す。プールカセット３２から繰出部４２によって繰り出された硬貨を出金側搬送部５５で搬送し、入金部１２に一時貯留する。このとき、プールカセット３２内の硬貨量が入金部１２内の収納容量以下であれば、硬貨を入金部１２に一時貯留することで、プールカセット３２内の硬貨を空にすることができる。この場合、プールカセット３２内の硬貨を空にした後、入金部１２の硬貨を入金側搬送部１５で搬送し識別部２０で識別および計数して精査しながらプールカセット３２に収納する。これにより、プールカセット３２を精査する。
【００５１】
ここで、プールスタッカ３９が空（リジェクト硬貨がなし）であれば、プールカセット３２の硬貨を入金部１２およびプールスタッカ３９に搬送してプールカセット３２を空にすることができる。つまり、第１の自己精査処理時に、プールスタッカ３９が空の状態で、プールカセット３２に入っているオーバーフロー硬貨の精査を開始する場合、プールカセット３２に入っているオーバーフロー硬貨の枚数が、入金部１２の収納容量とプールスタッカ３９の収納容量とを合わせた枚数までであれば精査が可能となる。ここでは、入金部１２の収納容量が１５０枚であり、プールスタッカ３９の収納容量が１５０枚であるため、プールカセット３２に入っているオーバーフロー硬貨の枚数が最大３００枚までであれば、最初の１５０枚の硬貨を、プールカセット３２から繰出部４２で計数しつつ繰り出し、出金側搬送部５５、シャッタが閉状態の入金部１２および入金側搬送部１５で搬送して識別部２０で識別および計数しながらスタッカ案内部２９でプールスタッカ３９に案内する。次に、残りの１５０枚までの硬貨を、プールカセット３２から繰出部４２で計数しつつ繰り出し、出金側搬送部５５で入金部１２に搬送し、入金部１２に留めておく。このようにして、プールカセット３２を空にしてから、入金部１２の硬貨を入金側搬送部１５で搬送し識別部２０で識別および計数して精査しながらカセット案内部２２でプールカセット３２に収納し、その後、プールスタッカ３９の硬貨を出金側搬送部５５、シャッタが閉状態の入金部１２および入金側搬送部１５で搬送して識別部２０で識別および計数して精査しながらカセット案内部２２でプールカセット３２に収納することで、最大３００枚の硬貨を精査できる。
【００５２】
以上のようにして、プールカセット３２の精査処理が終わると、制御部６１は、表示部６３上に今回の自己精査処理の結果（金種毎の硬貨枚数、合計金額、収納場所の表示など）と、精査前の機内有り高とを表示し、これらに差異があれば、機内有り高を今回の結果に合わせるか否かを、操作部６２への操作入力で操作者に選択させて、第１の自己精査処理を終了する。
【００５３】
「第１のカセット収集処理」
プールカセット３２による全回収の動作処理である。カセット収集処理は、基本的には、プールカセット３２が空になっている状態で行う。第１のカセット収集処理を行うにあたって、プールカセット３２に硬貨が収納されている場合、制御部６１は、例えば、空のプールカセット３２への交換を促し、プールカセット３２が空であることを確認してから第１のカセット収集処理を行う。なお、プールカセット３２内の硬貨が精査済みであることを条件として、回収金をプールカセット３２に元から入っている硬貨と合算して行う処理も可能である。
【００５４】
第１のカセット収集処理では、図１０に太実線で示すように、還流部３３〜３８から繰出部４３〜４８で硬貨を同時に繰り出し、出金側搬送部５５、シャッタが閉状態の入金部１２および入金側搬送部１５で搬送して識別部２０で識別および計数して、リジェクト硬貨以外の真硬貨（汚損硬貨および旧５００円硬貨を含む）をカセット案内部２２でプールカセット３２へ収納する。なお、汚損硬貨および旧５００円硬貨を識別したときは、これらを入金側搬送部１５およびスタッカ案内部２９で一旦プールスタッカ３９に収納し、還流部３３〜３８の硬貨が空になった後、プールスタッカ３９に収納してある汚損硬貨および旧５００円硬貨について、別メニューの混合スタッカ収集により回収しても良い。また、還流部３３〜３８から繰出部４３〜４８で硬貨を同時に繰り出すのではなく、還流部３３〜３８の一つですべての硬貨を繰り出したら、次の一つですべての硬貨を繰り出すという処理を順に行うようにしても良い。
【００５５】
他方、識別部２０でリジェクト硬貨と判定された硬貨については、図１０に太破線で示すように、入金側搬送部１５およびスタッカ案内部２９でプールスタッカ３９へ搬送した後、プールスタッカ３９から再び繰出部４９で繰り出して、出金側搬送部５５、シャッタが閉状態の入金部１２および入金側搬送部１５で搬送して識別部２０で再度、識別させる。ここでも、またリジェクト硬貨と判定された硬貨は、同様の処理を繰り返すことになる。但し、リジェクト硬貨の累積枚数には上限枚数（例えば、１０枚）が設定されており、上限枚数を超えた場合は、処理を中断しエラー状態となって報知を行う。
【００５６】
エラーの発生がなく処理が進み、プールカセット３２に還流部３３〜３８の硬貨がすべて収納されると、制御部６１は、第１のカセット収集処理を終了する。
【００５７】
エラーの発生がなく処理が進み、プールカセット３２の収納容量を超えた枚数、つまり６０１枚以上となった硬貨は、還流部３３〜３９（プールスタッカ３９を含む）へ戻される。または、それぞれの還流部３３〜３９からの繰り出しに際して計数される繰り出し枚数から、合計６０１枚以上の硬貨を還流部３３〜３９から繰り出さないように制御しても良い。
【００５８】
第１のカセット収集処理中に、６００枚の硬貨が収納されたプールカセット３２は、その識別番号が識別部２０において識別された金種別の枚数データとともに制御部６１に記憶されて管理される。プールカセット３２に収納した金種別の枚数データ等をプールカセット３２に設けたＩＣタグ等の記憶手段に読み出し可能に記憶させても良い。併せて、制御部６１は、６００枚収納されたプールカセット３２を、空のプールカセット３２と交換するように表示部６３に報知する。
【００５９】
操作者が６００枚収納されたプールカセット３２を機外へ取り出し、硬貨を抜き取って空の状態として装置本体１１に再セットし、あるいは空の予備のプールカセット３２を装置本体１１にセットすると、これを検知して、制御部６１は、第１のカセット収集処理を再開し、６０１枚目以降の硬貨について、同様に処理を行う。第１のカセット収集処理では、操作者は現金に触れないため、所定の権限の認識を要しない。
【００６０】
「第１のカルトン収集処理」
第１のカルトン収集処理は、カルトン１４による回収動作であり、全回収の他、金額指定での一部回収も可能となっている。操作者が金額指定（金種および枚数）の一部回収か、全回収かを操作部６２に入力すると、制御部６１は、図１１に太実線で示すように、還流部３３〜３８およびプールカセット３２から、指定分の硬貨を繰り出す。この場合も、還流部３３〜３８およびプールカセット３２の指定されたものから繰出部４２〜４８の対応するもので硬貨を同時に繰り出し、出金側搬送部５５、シャッタが閉状態の入金部１２および入金側搬送部１５で搬送して識別部２０で識別および計数して、リジェクト硬貨以外の真硬貨（汚損硬貨および旧５００円硬貨を含む）を放出案内部２１でカルトン１４に放出する。なお、還流部３３〜３８およびプールカセット３２の指定されたものから繰出部４２〜４８の対応するもので硬貨を同時に繰り出すのではなく、還流部３３〜３８およびプールカセット３２の一つで指定分の硬貨を繰り出したら、次の一つで指定分の硬貨を繰り出すという処理を順に行うようにしても良い。
【００６１】
他方、識別部２０でリジェクト硬貨と判定された硬貨は、カセット案内部２２でプールカセット３２へ搬送した後、プールカセット３２から再び繰出部４２で繰り出して、出金側搬送部５５、シャッタが閉状態の入金部１２および入金側搬送部１５で搬送して識別部２０で再度、識別させる（リジェクト硬貨と判定された硬貨の繰り出しは処理の最後に行わせても良い。）。ここでも、またリジェクト硬貨と判定された硬貨は、同様の処理を繰り返すことになる。但し、リジェクト硬貨の累積枚数には上限枚数（例えば、１０枚）が設定されており、上限枚数を超えた場合は、処理を中断しエラー状態となって報知を行う。
【００６２】
第１のカルトン収集処理では、カルトン１４の収納容量毎に区切って硬貨の搬送を行うことになる。具体的には、カルトン１４の収納容量が１５０枚であるため、カルトン１４へ硬貨を１５０枚搬送すると、搬送を一旦停止させ、図示略のセンサでカルトン載置部１３に対するカルトン１４の抜き取りを検知後、カルトン１４の再セットを検知すると、次の１５０枚までの硬貨をカルトン１４へ搬送するという処理を必要回数繰り返す。この第１のカルトン収集処理では、汚損硬貨および旧５００円硬貨も真硬貨と同様にカルトン１４に搬送する。第１のカルトン収集処理は、現金を操作者が直接取り扱うため、所定の権限を有するものを認識した場合のみ実行可能となる設定にできる。
【００６３】
「第１の整理計数処理」
第１の整理計数処理は、入出金取引には関わらない処理であり、手持ちの現金がいくらあるかを確認したい場合などに使用され、計数のみを行う処理である。
【００６４】
制御部６１は、第１の整理計数処理を開始すると、まず、入金部１２の図示略のシャッタを開き、この入金部１２に硬貨が投入されたことを図示略のセンサで検出すると、入金部１２から硬貨を繰り出させる。そして、図１２に太実線で示すように、入金部１２から繰り出した硬貨を入金側搬送部１５で搬送し、識別部２０の識別結果に基づいて、真硬貨を、スタッカ案内部２９でプールスタッカ３９へ搬送する。また、識別部２０の識別結果に基づいて、リジェクト硬貨を、図１２に太破線で示すように放出案内部２１でカルトン１４へ搬送する。なお、一度に計数できる枚数はプールスタッカ３９の収納容量の枚数であり、収納容量の枚数を超える枚数の硬貨は受け付けない。つまり、プールスタッカ３９の収納容量が１５０枚であるため、一度に計数できる枚数は１５０枚までであり、１５０枚を超える硬貨は、受け付けない。入金部１２および入金側搬送部１５に硬貨がなくなると、制御部６１は、識別部２０の識別結果に基づく、合計金額および金種別の枚数等を表示部６３へ表示させる。リジェクト硬貨があった場合は、次の返却操作前に、カルトン１４のリジェクト硬貨を回収させる。図示略のセンサでカルトン載置部１３に対するカルトン１４の抜き取りを検知後、カルトン１４の再セットを検知すると、返却操作が可能となり、この状態で、操作部６２に返却操作が入力されると、制御部６１は、プールスタッカ３９から繰出部４９で硬貨を繰り出し、出金側搬送部５５、シャッタが閉状態の入金部１２および入金側搬送部１５で搬送して放出案内部２１でカルトン１４に放出する。その後、プールスタッカ３９、出金側搬送部５５、入金部１２および入金側搬送部１５に硬貨がなくなると、第１の整理計数処理を終了する。
【００６５】
「第１の分配回収処理」
第１の分配回収処理は、プールカセット３２に収納されている硬貨のうち、出金に利用できる硬貨すなわち還流部３３〜３８からのオーバーフロー硬貨を還流部３３〜３８へ分配すると同時に、出金に利用できない硬貨すなわち汚損硬貨および旧５００円硬貨を機外へ放出させる処理である。
【００６６】
第１の分配回収処理では、図１３に太実線で示すように、プールカセット３２内の硬貨を繰出部４２で繰り出し、出金側搬送部５５、シャッタが閉状態の入金部１２および入金側搬送部１５で搬送して識別部２０で識別後、その結果に基づいて、還流案内部２３〜２８の対応するもので還流部３３〜３８に振り分けて収納する。還流部３３〜３８に入り切らないオーバーフロー硬貨と汚損硬貨と旧５００円硬貨は、図１３に太破線で示すように、放出案内部２１でカルトン１４に搬送する（カルトン１４への振り分けは上記したように１５０枚毎に行う）。この場合、識別部２０でリジェクト硬貨と判定された硬貨は、カセット案内部２２でプールカセット３２へ搬送した後、プールカセット３２から繰出部４２で再び繰り出して、出金側搬送部５５、シャッタが閉状態の入金部１２および入金側搬送部１５で搬送して識別部２０で再度識別させる。ここでも、またリジェクト硬貨と判定された場合は、同様の処理を繰り返すことになる。但し、リジェクト硬貨の累積枚数には上限枚数（例えば、１０枚）が設定されており、上限枚数を超えた場合は、処理を中断しエラー状態となって報知を行う。第１の分配回収処理は、現金を操作者が直接取り扱うため、所定の権限を有するものを認識した場合のみ実行可能となる設定にできる。
【００６７】
「第１の分配処理」
第１の分配処理は、プールカセット３２に収納されている硬貨のうち、出金に利用できる硬貨すなわち還流部３３〜３８からのオーバーフロー硬貨を還流部３３〜３８へ分配すると同時に、出金に利用できない硬貨すなわち汚損硬貨および旧５００円硬貨をプールカセット３２へ戻す処理である。
【００６８】
第１の分配処理では、図１４に太実線で示すように、プールカセット３２内の硬貨を繰出部４２で繰り出し、出金側搬送部５５、シャッタが閉状態の入金部１２および入金側搬送部１５で搬送して識別部２０で識別後、その結果に基づいて、還流案内部２３〜２８の対応するもので還流部３３〜３８に振り分けて収納する。識別部２０でリジェクト硬貨と判定された硬貨は、図１４に太破線で示すように、スタッカ案内部２９でプールスタッカ３９へ搬送した後、プールスタッカ３９から繰出部４９で再び繰り出して、出金側搬送部５５、シャッタが閉状態の入金部１２および入金側搬送部１５で搬送して識別部２０で再度識別させる。ここでも、またリジェクト硬貨と判定された場合は、同様の処理を繰り返すことになる。但し、リジェクト硬貨の累積枚数には上限枚数（例えば、１０枚）が設定されており、上限枚数を超えた場合は、処理を中断しエラー状態となって報知を行う。リジェクト硬貨と判定された硬貨は、一連の処理後に、プールスタッカ３９からプールカセット３２に戻す。還流部３３〜３８に入り切らないオーバーフロー硬貨と汚損硬貨と旧５００円硬貨とについても、スタッカ案内部２９でプールスタッカ３９へ搬送し、プールスタッカ３９に一時貯留させた後、第１の分配処理の最後に、プールスタッカ３９から繰出部４９で繰り出し、出金側搬送部５５、シャッタが閉状態の入金部１２および入金側搬送部１５で搬送して、カセット案内部２２でプールカセット３２へ戻す。第１の分配処理では、操作者は現金に触れないため、所定の権限の認識を要しない。
【００６９】
［第２の動作モード］
第２の動作モードでは、制御部６１は、プールカセット３２を、入金処理時に入金部１２に投入され識別部２０で識別された硬貨を金種混合で繰り出し可能に一時貯留する一時貯留部とし、プールカセット３２よりも容量小のプールスタッカ３９を、収納処理時にプールカセット３２から繰り出された硬貨のうち、各還流部３３〜３８でオーバーフローするオーバーフロー硬貨を金種混合で繰り出し可能に収納する一括収納部とする。つまり、第２の動作モードでは、プールスタッカ３９が、還流部３３でオーバーフローするオーバーフロー硬貨、還流部３４でオーバーフローするオーバーフロー硬貨、還流部３５でオーバーフローするオーバーフロー硬貨、還流部３６でオーバーフローするオーバーフロー硬貨、還流部３７でオーバーフローするオーバーフロー硬貨および還流部３８でオーバーフローするオーバーフロー硬貨を金種混合で繰り出し可能に収納する。
【００７０】
以下、いずれも第２の動作モードで実行される、第２の入金処理、第２の返却処理、第２の収納処理、第２のカセット補充処理、第２のダイレクト補充処理、第２の入金部補充処理、第２の出金処理、第２の自己精査処理、第２のカセット収集処理、第２のカルトン収集処理、第２の整理計数処理、第２の分配回収処理および第２の分配処理について説明する。
【００７１】
「第２の入金処理」
第２の動作モードでは、プールカセット３２が、入金処理時に入金部１２に投入され識別部２０で識別された硬貨を金種混合で繰り出し可能に一時貯留する一時貯留部として使用されるため、第２の入金処理開始時点で、プールカセット３２は空の状態にある。第２の入金処理で一度に処理する入金枚数は、プールカセット３２の硬貨収納容量であり、ここでは６００枚以下に限定されている。
【００７２】
制御部６１は、第２の入金処理を開始すると、まず、入金部１２の図示略のシャッタを開き、この入金部１２に硬貨が投入されたことを図示略のセンサで検出すると、入金部１２のシャッタを閉じ、入金部１２から硬貨を繰り出させる。そして、入金部１２から繰り出された硬貨を入金側搬送部１５で搬送し識別部２０で識別および計数する。そして、識別部２０で受け入れ可能と識別された真硬貨を、図１５に太実線で示すように、カセット案内部２２でプールカセット３２へ搬送してプールカセット３２に一時貯留する。つまり、第２の入金処理は、一時貯留部として、第１の入金部補充処理のプールスタッカ３９ではなく、プールカセット３２を用いる。その一方で、識別部２０で受け入れ不可と識別されたリジェクト硬貨を図１５に太破線で示すように、放出案内部２１でカルトン１４に搬送する。このとき、汚損硬貨や旧５００円硬貨も真硬貨としてプールカセット３２へ搬送する。入金部１２および入金側搬送部１５に硬貨がなくなると、入金部１２のシャッタを開き、追加投入の有無を照会する。
【００７３】
硬貨が入金部１２に追加投入されたことを図示略のセンサで検出すると、制御部６１は、上記と同様、入金部１２のシャッタを閉じ、入金部１２で繰り出した硬貨を入金側搬送部１５で搬送し識別部２０で識別および計数する。そして、真硬貨をプールカセット３２に一時貯留する一方で、リジェクト硬貨をカルトン１４に搬送する。入金部１２および入金側搬送部１５に硬貨がなくなると、入金部１２のシャッタを開き、追加投入の有無を照会する。複数回の追加投入が行われることで、真硬貨がプールカセット３２の収納容量（６００枚）に達すると、それより後の真硬貨は放出案内部２１でカルトン１４に搬送する。追加投入の有無の照会中に、操作部６２に入金終了の操作が入力されると、制御部６１は、識別部２０で受け入れ可能と識別された真硬貨の合計金額および金種別の枚数等を表示部６３に表示させて、操作部６２への確定指示操作、返却指示操作を待機する状態となって、第２の入金処理を終了する。このように、第２の収納処理では、プールカセット３２が、入金部１２に投入され識別部２０で識別された硬貨を金種混合で繰り出し可能に一時貯留する一時貯留部となる。よって、第２の収納処理は、第１の収納処理と比べて、大量（約４倍の量）の硬貨の入金処理が一度に実施可能となる。
【００７４】
「第２の返却処理」
第２の入金処理の終了後、操作部６２へ返却指示操作が入力されると、制御部６１は、第２の返却処理を開始する。第２の返却処理は、プールカセット３２の硬貨枚数に応じて行う。プールカセット３２の硬貨枚数がカルトン１４で収容可能な枚数以内である場合、つまり１５０枚以内である場合、入金部１２のシャッタを閉じた後、図１６に太実線で示すように、プールカセット３２の硬貨を、繰出部４２で繰り出し、シャッタが閉じられた状態の入金部１２に出金側搬送部５５で搬送し、入金部１２から繰り出して入金側搬送部１５で搬送し、放出案内部２１でカルトン１４に搬送する。そして、プールカセット３２、出金側搬送部５５、入金部１２および入金側搬送部１５に硬貨がなくなると、第２の返却処理を終了する。このようにプールカセット３２内の硬貨をカルトン１４に全て搬送して、操作者に取り出させる。なお、このとき予測される返却時間を表示部６３に表示させても良い。
【００７５】
第２の返却処理において、プールカセット３２の硬貨枚数がカルトン１４で収容可能な枚数を超える場合、つまり１５０枚を超える場合、カルトン１４への分割返却か、プールカセット３２の抜き取りによる返却かのいずれかの方法を操作部６２への選択操作で判断し、カルトン１４への分割返却が選択された場合、カルトン１４の収納容量毎に区切って硬貨の搬送を行うことになる。つまり、カルトン１４の収納容量が１５０枚であるため、入金部１２のシャッタを閉じた後、プールカセット３２の硬貨を１５０枚分だけ繰出部４２で計数しつつ繰り出し、シャッタが閉じられた状態の入金部１２に出金側搬送部５５で搬送し、入金部１２から繰り出して入金側搬送部１５で搬送し、放出案内部２１でカルトン１４に搬送すると、搬送を一旦停止させ、図示略のセンサでカルトン載置部１３に対するカルトン１４の抜き取りを検知後、カルトン１４の再セットを検知すると、プールカセット３２から次の１５０枚までの硬貨をカルトン１４へ搬送するという処理を必要回数繰り返す。プールカセット３２、出金側搬送部５５、入金部１２および入金側搬送部１５に硬貨がなくなると、第２の返却処理を終了する。
【００７６】
他方、プールカセット３２の抜き取りによる返却が選択された場合、操作者に対してプールカセット３２の交換を促す報知を行う。プールカセット３２の交換を検知すると、第２の返却処理を終了する。
【００７７】
なお、カルトン１４への分割返却か、プールカセット３２の抜き取りによる返却かの選択操作を行わせる際に、カルトン１４への分割返却を選択した場合に予測される返却時間を表示部６３に表示させても良い。すなわち、プールカセット３２に硬貨が例えば６００枚収納されている場合に、繰り出し搬送による返却を行うと、カルトン１４への放出枚数に１５０枚の制限があることから、単純に、６００枚の繰り出し搬送時間に加えて、カルトン１４の抜き差し時間を必要とする。よって、収納枚数から予測される返却時間を、カルトン１４への分割返却か、プールカセット３２の抜き取りによる返却かの選択操作を行わせるかの判断材料として表示部６３に表示させる。
【００７８】
「第２の収納処理」
第２の入金処理の終了後、操作部６２へ確定指示操作が入力されると、制御部６１は、第２の収納処理を開始する。つまり、図１７に太実線で示すように、プールカセット３２の硬貨を繰出部４２で繰り出し、シャッタが閉じられた状態の入金部１２に出金側搬送部５５で搬送し、入金部１２から繰り出して入金側搬送部１５で搬送し、識別部２０の識別結果に基づいて、各金種の硬貨を還流案内部２３〜２８の対応する金種のもので、還流部３３〜３８の対応する金種のものに収納する。なお、識別部２０の識別結果に基づいて、各還流部３３〜３８でオーバーフローするオーバーフロー硬貨、汚損硬貨および旧５００円硬貨は、図１７に太破線で示すように、スタッカ案内部２９でプールスタッカ３９に収納する。そして、プールカセット３２、出金側搬送部５５、入金部１２および入金側搬送部１５に硬貨がなくなると、第２の収納処理を終了する。このように、第２の収納処理では、プールスタッカ３９が各還流部３３〜３８でオーバーフローするオーバーフロー硬貨を金種混合で繰り出し可能に収納する一括収納部となる。
【００７９】
なお、第２の収納処理では、プールスタッカ３９の収納容量をも超えるオーバーフロー硬貨が生じると、処理を中断し、このようなオーバーフロー硬貨を、放出案内部２１でカルトン１４に搬送するか、プールカセット３２に残してプールカセット３２の交換で対応するかを操作部６２に選択入力させる。なお、予め選択設定された内容に従うようにしても良い。カルトン１４に搬送する場合は、現金を操作者が直接取り扱うため、所定の権限を有するものを認識した場合のみ実行可能となる設定にできる。
【００８０】
カルトン１４への搬送が選択されると、カルトン１４の収納容量毎に区切って硬貨の搬送を行うことになる。ここでは、カルトン１４の収納容量が１５０枚であるため、カルトン１４へオーバーフロー硬貨を１５０枚搬送すると、搬送を一旦停止させ、図示略のセンサでカルトン載置部１３に対するカルトン１４の抜き取りを検知後、カルトン１４の再セットを検知すると、次の１５０枚までのオーバーフロー硬貨をカルトン１４へ搬送するという処理を必要回数繰り返す。そして、プールカセット３２、出金側搬送部５５、入金部１２および入金側搬送部１５に硬貨がなくなると、第２の収納処理を終了する。他方、プールカセット３２の交換での対応が選択された場合、プールカセット３２の交換を検知すると、第２の収納処理を終了する。
【００８１】
第２の収納処理においては、操作部６２へ確定指示操作が入力された時点での、各還流部３３〜３８とプールスタッカ３９の収納済み枚数データと、プールカセット３２の金種別入金枚数データから、引き続いて収納動作を行ったときに、プールスタッカ３９の収納枚数が予測できる。このため、還流部３３〜３８およびプールスタッカ３９だけでの収集に留まらないことが予測されたときには、各還流部３３〜３８への収納動作を優先させるべきか、プールカセット３２の交換を行うかを操作部６２への操作で選択させても良い。プールカセット３２の交換が選択された場合であっても、さらに、プールスタッカ３９に収納済みの硬貨量が所定値以上のときは、プールスタッカ３９の硬貨の一部をプールカセット３２に回収の上でプールカセット３２を交換させるかを選択入力させるか、あるいは制御部６１が自動的に判断する。
【００８２】
「第２のカセット補充処理」
第２のカセット補充処理は、第１のカセット補充処理と基本的に同じである。つまり、第２のカセット補充処理では、図６に太実線で示すように、プールカセット３２の硬貨を、繰出部４２で繰り出し、出金側搬送部５５、入金部１２および入金側搬送部１５で搬送し、識別部２０の識別結果に基づいて、還流部３３〜３８の対応する金種のものに収納する。そして、図６に太破線で示すように、各還流部３３〜３８でオーバーフローするオーバーフロー硬貨、汚損硬貨および旧５００円硬貨は、金種別の枚数を把握してプールスタッカ３９に収納し、リジェクト硬貨は枚数を把握してプールスタッカ３９に収納する。なお、第２の動作モードでは、第２のカセット補充処理後も、プールスタッカ３９の硬貨はそのままプールスタッカ３９に保管する点が第１の動作モードとは異なる。第１の動作モードおよび第２の動作モードの両方で、プールカセット３２を、カセット補充処理時に金種別の還流部３３〜３８に補充する硬貨が装置外で装填される一括収納カセットとして使用する。
【００８３】
「第２のダイレクト補充処理」
第２のダイレクト補充処理では、図１８に太実線で示すように、第１のダイレクト補充処理と同様、入金部１２に投入された硬貨を入金側搬送部１５で搬送し、識別部２０の識別結果に基づいて、真硬貨を還流部３３〜３８の対応する金種のものに収納する。その一方で、各還流部３３〜３８でオーバーフローするオーバーフロー硬貨は、図１８に太破線で示すように、スタッカ案内部２９でプールスタッカ３９へ収納する点が第１のダイレクト補充処理とは異なる。また、第２のダイレクト補充処理では、プールスタッカ３９は、第２のダイレクト補充処理後も、硬貨を収納したままの状態を維持する点が第１のダイレクト補充処理とは異なる。それら以外は、第１のダイレクト補充処理と基本的に同じである。なお、汚損硬貨および旧５００円硬貨については、オーバーフロー硬貨と同様、スタッカ案内部２９でプールスタッカ３９へ収納しても良い。オーバーフロー硬貨も、そもそも当該金種の硬貨を多く入れすぎたことになるので、カルトン１４へ排出しても良い。
【００８４】
「第２の入金部補充処理」
第２の入金部補充処理は、図１５に示す第１の入金処理と、図１６に示す第２の返却処理または図１７に示す第２の収納処理とを行う。第２の入金処理と第２の収納処理とを行うと、入金部１２の硬貨を還流部３３〜３８の対応する金種のものに収納する。または、図１８に示すように、第２のダイレクト補充処理と同様の処理を行って、入金部１２の硬貨を還流部３３〜３８の対応する金種のものに収納する。
【００８５】
「第２の出金処理」
第２の出金処理では、図１９に太実線で示すように、第１の出金処理と同様、出金データに基づいて、硬貨を、金種別に設けられた還流部３３〜３８の対応する金種のものから繰り出し、出金側搬送部５５、入金部１２および入金側搬送部１５で搬送して、識別部２０で識別および計数しつつ放出案内部２１でカルトン１４へ放出する。一方で、第２の出金処理では、第１の出金処理とは異なり、リジェクト硬貨を図１９に太破線で示すように、プールカセット３２へ収納する。そして、第２の出金処理の完了後、プールカセット３２に硬貨がある場合には、硬貨を繰出部４２で繰り出して、再度、識別部２０で識別させる処理を行う。それ以外は、第１の出金処理と基本的に同じである。
【００８６】
「第２の自己精査処理」
第２の自己精査処理では、図２０に太実線で示すように、第１の出金処理と同様、還流部３３〜３８のうちの精査対象のものから一旦すべての硬貨を繰り出して入金部１２に貯留し、その後、入金部１２から識別部２０で識別および計数しつつ、識別結果に基づいて、還流案内部２３〜２８の対応する金種のもので還流部３３〜３８の対応金種のものに収納させる。このような処理を還流部３３〜３８に順に行う。第２の自己精査処理では、第１の自己精査処理とは異なり、プールスタッカ３９についての精査を還流部３３〜３８と同様に行う。第２の自己精査処理では、精査中に識別部２０でリジェクト硬貨と判定された硬貨は、図２０に太破線で示すように、プールカセット３２へ搬送した後、プールカセット３２から再び繰り出して識別部２０で再度識別させる。それ以外は、第１の自己精査処理と基本的に同じである。このように、第２の自己精査処理では、精査すべき硬貨が還流部３３〜３８およびプールスタッカ３９に収納されている。このため、入金部１２およびプールカセット３２の両方を利用した精査動作が可能となる。還流部３３〜３８およびプールスタッカ３９の各収納容量よりもプールカセット３２の収納容量の方が多いことから、第１の自己精査処理で受けたような制約を受けにくい。
【００８７】
「第２のカセット収集処理」
第２の動作モードでは、プールカセット３２を、入金処理時に入金部１２に投入され識別部２０で識別された硬貨を一時貯留する一時貯留部として使用し、プールスタッカ３９にオーバーフロー硬貨、汚損硬貨および旧５００円硬貨を収納している。そして、通常動作時には、一つの取引の入出金が終了したときには、プールカセット３２内に硬貨は存在せず、そのまま業務終了となったときにも、プールカセット３２内に硬貨は存在することがない。よって、第２のカセット収集処理を行うに当たって、すでにプールカセット３２は空であり、よって、第２のカセット収集処理を直ちに開始可能となる。第２のカセット収集処理は、プールスタッカ３９が、第２のカセット収集処理後も、硬貨を収納したままの状態を維持する点が第１のカセット収集処理とは異なる。それ以外は、図１０に太線で示すルートで硬貨を搬送する第１のカセット収集処理と基本的に同じである。第１の動作モードおよび第２の動作モードの両方で、プールカセット３２を、カセット収集処理時に金種別の還流部３３〜３８から繰り出された硬貨を収納する一括収納カセットとして使用する。
【００８８】
「第２のカルトン収集処理」
第２のカルトン収集処理は、図２１に太実線で示すように、第１のカルトン収集処理と同様、硬貨を、金種別に設けられた還流部３３〜３８の対応する金種のものから繰り出し、出金側搬送部５５、入金部１２および入金側搬送部１５で搬送して、識別部２０で識別および計数しつつ放出案内部２１でカルトン１４へ放出する。その一方で、第２のカルトン収集処理では、第１のカルトン収集処理とは異なり、プールスタッカ３９から硬貨を繰り出し、出金側搬送部５５、入金部１２および入金側搬送部１５で搬送して、識別部２０で識別および計数しつつ放出案内部２１でカルトン１４へ放出する。硬貨の繰り出し元の一つがプールスタッカ３９であること以外は、第１のカルトン収集処理と基本的に同じである。
【００８９】
「第２の整理計数処理」
第２の整理計数処理では、図２２に太実線で示すように、入金部１２に投入された硬貨を入金側搬送部１５で搬送し、識別部２０の識別結果に基づいて、真硬貨を、カセット案内部２２でプールカセット３２へ搬送する。その一方で、リジェクト硬貨を、図２２に太破線で示すように放出案内部２１でカルトン１４へ搬送し、その後、返却操作が可能な状態で、操作部６２に返却操作が入力されると、プールカセット３２から硬貨を繰り出し、出金側搬送部５５、入金部１２および入金側搬送部１５で搬送して放出案内部２１でカルトン１４に放出する。プールカセット３２に硬貨を一時貯留する以外は、第１の整理計数処理と基本的に同じである。第２の整理計数処理では、一度に計数できる枚数はプールカセット３２の収納容量の枚数であり、プールカセット３２の収納容量が６００枚であるため、一度に６００枚まで計数できる。
【００９０】
「第２の分配回収処理」
第２の分配回収処理は、図２３に太実線で示すように、プールスタッカ３９内の硬貨を繰り出し、出金側搬送部５５、入金部１２および入金側搬送部１５で搬送して識別部２０で識別後、その結果に基づいて、出金に利用できる硬貨を還流部３３〜３８に振り分けて収納する。その一方、還流部３３〜３８に入り切らないオーバーフロー硬貨と、出金に利用できない硬貨を汚損硬貨および旧５００円硬貨とは、図２３に太破線で示すように、放出案内部２１でカルトン１４に搬送する。硬貨の繰り出し元がプールスタッカ３９であること以外は、第１の分配回収処理と基本的に同じである。
【００９１】
「第２の分配処理」
第２の分配処理は、図２４に太実線で示すように、プールスタッカ３９内の硬貨を繰り出し、出金側搬送部５５、入金部１２および入金側搬送部１５で搬送して識別部２０で識別後、その結果に基づいて、出金に利用できる硬貨を還流部３３〜３８に振り分けて収納する一方、還流部３３〜３８に入り切らないオーバーフロー硬貨と、出金に利用できない汚損硬貨および旧５００円硬貨とは、図２４に太破線で示すように、プールカセット３２に搬送する。硬貨の繰り出し元がプールスタッカ３９であり、出金に利用できない硬貨の搬送先がプールカセット３２であること以外は、第１の分配回収処理と基本的に同じである。
【００９２】
第２の動作モードでは、大量枚数の入金処理などが可能となり、作業効率を高めた硬貨処理装置１０を提供できる。
【００９３】
［動作モードの選択］
硬貨処理装置１０において、第１の動作モードと第２の動作モードとは切り替え可能であるが、動作モードの設定には、事前マニュアル設定方式と事前自動設定方式と任意設定可能方式とがある。
【００９４】
「事前マニュアル設定方式」
事前マニュアル設定方式は、所定の管理者モード、サービス員設定モードなど、特別な権限またはモード下において、第１の動作モードと第２の動作モードとの切り替えを可能とする設定方式である。通常は、硬貨処理装置１０の導入時、または、毎朝の業務開始前に、当日の業務予測（顧客来店予測等、過去実績に基づいた情報）に応じて、操作部６２へのマニュアル操作にて、いずれかの動作モードが選択設定される。設定された動作モードは、硬貨処理装置１０の表示部６３や、これに通信可能な端末機等に表示可能である。業務時間中にこれらの動作モードを変更することは原則行わず、終業時まで、これらの動作モードを維持運用するようになっている。いずれにしても、硬貨処理装置１０を導入した店舗の顧客特性等から小口顧客が多い場合や、過去の実績、月日、曜日等々の条件を鑑みて小口取引が多いと考えられるときには、従来と同様の動作モードである第１の動作モードを基本的に選択設定することで、適宜適切な運用が可能となる。また、業務予測等で大口取引の可能性の情報があるときには、業務開始前に、第２の動作モードを選択設定して運用させることも可能となる。
【００９５】
「事前自動設定方式」
事前自動設定方式は、硬貨処理装置１０の電源立ち上げ時、硬貨処理装置１０の内部の現金つまり硬貨がない（残置仕様でない）ことを条件として、硬貨処理装置１０または店舗内管理サーバ（さらには店舗外管理サーバもあり得る）内に記憶されている、当該店舗の、当日の業務予測（顧客来店予測等、過去実績に基づいた情報）に応じて、硬貨処理装置１０が自動的に、あるいは店舗内管理サーバからの指示で第１の動作モードと第２の動作モードの切り替え設定を行う。
【００９６】
「任意設定可能方式（都度）」
事前マニュアル設定方式および事前自動設定方式においては、一旦設定された動作モードは、設定された日の業務が完了するまでは、それぞれの動作モードに固定であるのに対し、任意設定可能方式は、条件が整えば、操作者の権限で、都度、動作モードを変更できる方式である。なお、硬貨処理装置１０の電源立ち上げ時に設定される動作モードは、事前マニュアル設定方式および事前自動設定方式のいずれの方式で選択設定されても良い。ところで、業務途中において、これらの動作モードを変更する必要性がある場合は、第１の動作モードから第２の動作モードへの変更を要するときだけである。すなわち、通常、小口の入出金だけが行われている場面にあっては、第１の動作モードであっても、第２の動作モードであっても、何ら影響を受けない。これに対して、予定外に顧客が大量の硬貨を持参して入金することが希に存在する。大量の硬貨の入金に対応しうるモードは、上記したように第２の動作モードである。よって、第１の動作モードでの運用中に、やむを得ず、第２の動作モードで運用できる条件を設定すれば良い。
【００９７】
｛第１の動作モードから第２の動作モードへの設定変更可能条件について｝
第１の動作モードでは、プールカセット３２にオーバーフロー硬貨等を保管しているので、プールカセット３２に収納されている硬貨を、第１の動作モードの第１の入金処理で一時貯留していたプールスタッカ３９に収納できるか否かによって、第１の動作モードから第２の動作モードへの設定変更が可能か否かが決まる。上記実施態様では、プールスタッカ３９の容量は１５０枚であるので、最大容量６００枚のプールカセット３２に収納されている硬貨が１５０枚以下であれば、これら硬貨をプールスタッカ３９に移動させることで、プールカセット３２内を空にする。
【００９８】
なお、１５０枚近くの硬貨の移動には、時間が掛かるので、さらに好ましい態様では、一例として、（１）５０枚までの移動を要するときは無条件に搬送移動を開始する。（２）１００枚以上（移動しきれない１５０枚以上を含む）の硬貨の移動を要するときは、搬送移動を伴わない、空のプールカセット３２へ交換させる。（３）５０枚から１００枚までの移動を要するときは、これらの移動に要する予測時間を表示部６３に表示して、操作部６２への操作入力で硬貨の移動またはカセット交換のいずれかを選択させるようにする。但し、操作員の判断を要せず、（３）を無くし、一例に示した５０枚を超えるか否かで、搬送移動、カセット交換のいずれかを行うようにしても良い。
【００９９】
これらにより、第１の動作モードで運用中に、大量の硬貨の入金が求められた場合、操作員は、端末機等において、動作モードの変更設定を行う。動作モードの変更設定は、操作選択が行いやすいように、「大量硬貨入金処理」と言うような処理名を作成して、選択設定させるようにしても良い。そして、顧客からの取引処理内容を把握したところで、硬貨処理装置１０に通信可能な端末機において、「大量硬貨入金処理」を選択すると、硬貨処理装置１０は、その時点でのプールカセット３２内の収納枚数を確認し、上記した処理に基づいて、第１の動作モードから第２の動作モードへのモード変更動作を行う。すなわち、（１）プールカセット３２内の硬貨をプールスタッカ３９へ自動的に移動させる。（２）硬貨処理装置１０または端末機の表示部に硬貨搬送予測時間を表示して、硬貨搬送を実行するかカセット交換を行うかの選択操作の入力を行わせる。（３）カセット交換の指示を表示して、カセット交換作業を促す。これらの動作、指示、作業後に、硬貨処理装置１０は第１の動作モードから第２動作モードに設定変更され、入金部１２への硬貨の投入を促す指示を表示部６３に表示する。このとき、一回で１５０枚以上の硬貨の投入は避けられ、追加投入指示による入金作業が繰り返される。大量硬貨の入金がなされた結果は、各還流部３３〜３８およびプールスタッカ３９への分配が可能であれば、これを行う。分配を行っても、分配しきれない硬貨が残ることが予測されたときは、上記したように、カセット交換を指示する。
【０１００】
｛第２の動作モードから第１の動作モードへの設定変更可能条件について｝
通常は、上記の大量硬貨入金終了後に、第２の動作モードであったモードを、第１の動作モードに戻す作業となる。もともと第２の動作モードで運用中に、第１の動作モードに変更する必要性は少ない。例えば、オーバーフロー硬貨等を１５０枚以上収納したまま、装置運用を継続したときに変更される。第２の動作モードから第１の動作モードへの設定変更時には、プールスタッカ３９に移動収納させた硬貨を、プールカセット３２に収納し直す必要があるが、収納容量の問題は少ないので、上記した大量硬貨入金処理の終了後、プールカセット３２がセットされていることを条件に、直ちに、搬送移動処理を行う。その際に、識別部２０で識別および計数を行う。
【０１０１】
以上に述べた硬貨処理装置１０によれば、第１の動作モードでは、プールスタッカ３９を一時貯留部としプールスタッカ３９よりも収納容量が大のプールカセット３２を一括収納部とするため、入金処理時に少量の硬貨が投入される場合に好適となる。その場合に、各還流部３３〜３８でオーバーフローするオーバーフロー硬貨を収納容量が大のプールカセット３２に収納可能となるため、オーバーフロー硬貨の硬貨量が多くなることによる装置停止の頻度を減らすことができる。他方、第２の動作モードでは、プールスタッカ３９を一括収納部としプールスタッカ３９よりも収納容量が大のプールカセット３２を一時貯留部とするため、入金処理時に大量の硬貨が投入される場合に、一度に多くの硬貨を処理可能となり好適となる。よって、一時貯留部および一括収納部の両方の容量を増大させなくても、使い勝手性が向上し、利便性が良く、作業の効率化に繋がる。したがって、大型化を抑制しつつ使い勝手性を向上可能な硬貨処理装置１０となる。しかも、例えば操作部６２への操作で、第１の動作モード１と第２の動作モードとを、切り替えることができるため、操作者が所望する仕様を選択して、現金処理を行うことができる。
【０１０２】
また、第１の動作モードの第１のカセット収集処理時および第２の動作モードの第２のカセット収集処理時の両方で、装置本体１１に対し着脱可能であってプールスタッカ３９よりも収納容量が大のプールカセット３２を一括収納カセットとするため、いずれの動作モードであっても、カセット収集処理時に金種別の還流部３３〜３８から多くの硬貨を回収することができる。
【０１０３】
また、第１の動作モードの第１のカセット補充処理時および第２の動作モードの第２のカセット補充処理時の両方で、装置本体１１に対し着脱可能であってプールスタッカ３９よりも収納容量が大のプールカセット３２を一括収納カセットとするため、いずれの動作モードであっても、カセット補充処理時に金種別の還流部３３〜３８に多くの硬貨を補充することができる。
【符号の説明】
【０１０４】
１０  硬貨処理装置
１１  装置本体
１２  入金部
２０  識別部
３２  プールカセット（第２の収納部）
３３〜３８  還流部（繰出収納部）
３９  プールスタッカ（第１の収納部）
【図１】
2020080187.tif 000003
【図２】
2020080187.tif 000004
【図３】
2020080187.tif 000005
【図４】
2020080187.tif 000006
【図５】
2020080187.tif 000007
【図６】
2020080187.tif 000008
【図７】
2020080187.tif 000009
【図８】
2020080187.tif 000010
【図９】
2020080187.tif 000011
【図１０】
2020080187.tif 000012
【図１１】
2020080187.tif 000013
【図１２】
2020080187.tif 000014
【図１３】
2020080187.tif 000015
【図１４】
2020080187.tif 000016
【図１５】
2020080187.tif 000017
【図１６】
2020080187.tif 000018
【図１７】
2020080187.tif 000019
【図１８】
2020080187.tif 000020
【図１９】
2020080187.tif 000021
【図２０】
2020080187.tif 000022
【図２１】
2020080187.tif 000023
【図２２】
2020080187.tif 000024
【図２３】
2020080187.tif 000025
【図２４】
2020080187.tif 000026
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
硬貨を金種混合で繰り出し可能に収納する第１の収納部と、
硬貨を金種混合で繰り出し可能に収納する、前記第１の収納部よりも収納容量が大の第２の収納部と、
前記第１の収納部を一時貯留部として用いる第１の動作モードと、前記第２の収納部を一時貯留部として用いる第２の動作モードとを切り替える制御部と、
を備える硬貨処理装置。
【請求項２】
前記制御部は、
業務開始前に、前記第１の動作モードと前記第２の動作モードとをマニュアル操作で切り替える事前マニュアル設定を可能とすることを特徴とする請求項１に記載の硬貨処理装置。
【請求項３】
前記制御部は、
硬貨処理装置の電源立ち上げ時、硬貨処理装置の内部に硬貨がない条件下において、硬貨処理装置が当日の業務予測に応じて、あるいはサーバからの指示で、業務開始前に、前記第１の動作モードと前記第２の動作モードとを切り替える事前自動設定を可能とすることを特徴とする請求項１または２に記載の硬貨処理装置。
【請求項４】
前記制御部は、
前記第２の収納部に収納している硬貨の収納量が、前記第１の収納部の収納容量以下であるときに、前記第１の動作モードから前記第２の動作モードへ切り替えることを可能とする請求項１乃至３のいずれか１項に記載の硬貨処理装置。
【請求項５】
前記制御部は、
前記第２の収納部に収納している硬貨の収納量が、第１の閾値以下のときに大量硬貨入金が指示されると、前記第２の収納部に収納されている硬貨の前記第１の収納部への移動を開始させることを特徴とする請求項４に記載の硬貨処理装置。
【請求項６】
前記制御部は、
前記第２の収納部に収納している硬貨の収納量が、第２の閾値を越えるときに大量硬貨入金が指示されると、前記第２の収納部の交換を指示することを特徴とする請求項４または５に記載の硬貨処理装置。
【請求項７】
前記制御部は、
前記第２の収納部に収納している硬貨の収納量が、第１の閾値を越えるときに大量硬貨入金が指示されると、前記第２の収納部に収納されている硬貨の前記第１の収納部への移動を開始させるか、前記第２の収納部の交換作業を行うか、のいずれかを選択可能とすることを特徴とする請求項４または５に記載の硬貨処理装置。
【手続補正２】
【補正対象書類名】明細書
【補正対象項目名】０００６
【補正方法】変更
【補正の内容】
【０００６】
上記目的を達成するために、本発明に係る第１の態様は、硬貨を金種混合で繰り出し可能に収納する第１の収納部と、硬貨を金種混合で繰り出し可能に収納する、前記第１の収納部よりも収納容量が大の第２の収納部と、前記第１の収納部を一時貯留部として用いる第１の動作モードと、前記第２の収納部を一時貯留部として用いる第２の動作モードとを切り替える制御部と、を備える。
【手続補正３】
【補正対象書類名】明細書
【補正対象項目名】０００７
【補正方法】削除
【補正の内容】